(57)【要約】      （修正有）【課題】一種の果汁ミキサーの入液管構造で、入液管が実施されたところで、果物を半分に切らなくても、果汁が直接に絞ることができ、便利であると同時に、ナイフやまな板を使用する必要のないミキサーを提供する。【解決手段】入液管の天辺は開口状の切口で、切口の周りに棘歯が配列されており、底は密閉状の嵌座で、嵌座の底にミキサー器の駆動装置の矢柄を嵌入する多角状の嵌合溝があり、果肉の汁を絞るためにその周りにカーブ状に突出する縦方向の爪片が複数枚並んでいる。また果汁ミキサーの濾皿にコーディネートして、上述の入液管の嵌座の外回りに突出するスライドナイフが配列する場合もあり、構造の異なる果汁ミキサーにコーディネートして、上述の入液管の嵌座は濾皿にジョイントすることも可能である。【選択図】図１
0003107426.tif 000002
【実用新案登録請求の範囲】
【請求項１】
果物に接触するために、入液管は果汁ミキサーの天辺にあり、入液管の外回りにカーブ状に突出する縦方向の爪片が複数枚配列し、その下に密閉状の嵌部があり、またミキサーの駆動装置の矢柄を嵌めるのに、嵌部の底に多角状の嵌合溝があり、入液管の天辺は開口状の切口で、切口が上へ行くと鋭くなり、その周辺に環状の棘歯があるという特徴を持つ、果汁ミキサーの入液管構造。
【請求項２】
ミキサーは座部、防水キャップ、集汁皿、濾皿と入液管とからなり、座部に駆動装置と上向き延伸の矢柄があり、矢柄は防水キャップとともに、集汁皿と濾皿を通して、入液管とジョイントし、集汁皿と濾皿は相互座部に畳み組あわせ、入液管の下に濾皿の中央穴に掛けるフックがある、請求項1に記載の果汁ミキサーの入液管構造。
【請求項３】
入液管の嵌部の外回りに、突出するスライスナイフが横に並んでいる、請求項1または請求項2に記載の果汁ミキサーの入液管構造。
【請求項４】
ミキサーは座部、防水キャップ、集汁皿と入液管からなり、座部に駆動装置と上向き延伸の矢柄があり、矢柄は防水キャップとジョイントし、集汁皿を通して、入液管にジョイントし、また集汁皿と濾皿は相互座部に畳み組あわせ、入液管の底は濾皿と一体化し、濾皿が集汁皿の中にある、請求項1に記載の果汁ミキサーの入液管構造。
【請求項５】
棘歯がカーブ状、断面が尖っている形を有する、請求項4に記載の果汁ミキサーの入液管構造。
【考案の詳細な説明】
【技術分野】
【０００１】
本考案は果汁ミキサーの入液管構造で、本入液管は果汁絞りの半自動的なミキサーに使われる。
【背景技術】
【０００２】
従来の果汁ミキサーは、例えば特許文献１“果菜汁ミキサー用オレンジレモン類果物の入液装置”とか、特許文献２“果菜汁ミキサー用レモン、オレンジ等果物類の入液装置’’、或いは特許文献３“果菜汁ミキサー用オレンジ、レモン類果物の入液装置”のように、減速装置（電動モーターと複数の減速ギアからなる駆動器）を利用し、工作体が回すのを駆動し、工作体とは果物を直接押しつぶす半球形ミキサー器を指す。このミキサー器の表面に果物の粒に対する摩擦力を増す爪片があり、ミキサーが回転している時に、汁がミキサー器に沿って下の方へ流れ、集液皿のところに収まる構成になっている。果汁ミキサーを使用するときは、果汁絞りの前に、まず果物を半分に切り、その半球状の果物をミキサー器の中へ入れ、果汁絞りが行なわれる。
【特許文献１】台湾公開第０８４２８１号公報
【特許文献２】台湾公開第０９９８９６号公報
【特許文献３】台湾公開第１２８９５９号公報
【考案の開示】
【考案が解決しようとする課題】
【０００３】
従来の果汁絞りの技術は、操作中にナイフで果物を半分に切る操作が入ることにより、操作中にナイフを使うのが必要だが、このような操作は子供にさせることが好ましくないことである。また半分切りの果物から一部の汁が流れ、無駄になり、衛生条件のために使用後の切ナイフとまな板を洗浄しなければない。従って、使用者にとって前述の使用方法に種々不便なところがある。
【０００４】
従来の最大の欠点が図９に示されるように、半分切りの皮付果物７が果汁絞りの時、ミキサーの爪片６１付きのミキサー器６は滑り現象が起こりやすいことである。それは、果物の内部を断面図で表している図１０及び図１１に示すように、皮付果物７の中央に硬めの実柱（芯の部分）７３があり、実柱は数枚の果肉７３の無水状態となる内側が集まる部分、半分切りの果物に数枚の果片７４が実柱７３を中心に放射状配列に分布しているように見えるが、半分切りの果物２とミキサー器６との絞り動作が行なわれるとき、硬めの実柱７３が半球状ミキサー器６の天辺にあり、数枚の果片７４が切られないままになっており、押された実柱７３が天辺のところに滑りやすくなり、操作上で左や右に傾く現象などが起きてしまう。
【０００５】
その原因は次のように考えられる。すなわち、複数の爪片６１付きのミキサー器６が半球状の立体キャップとなり、その天辺は密閉状態で最も硬い部分、実柱７３との間に硬いもの同士がぶつかる動きが行われてしまい、それに数枚の果片７４が切られることなく、神経ネットワークのように相互関連し、半分切りの果物７がミキサー器６の天辺に押されたまま、バランスが崩れて滑り現象が起きてしまうためである。
【課題を解決するための手段】
【０００６】
本考案は従来の半自動果汁ミキサーのミキサー器を改良したもので、その改良構造は請求項１に記載の果汁ミキサーの入液管構造、入液管は果汁ミキサーの天辺にあり、果物と接触する部分で、その構造は次のようになる。
【０００７】
天辺は開口状の切口で、切口が上へ行くと鋭くなり、その周辺に環状の棘歯がある。
【０００８】
下部に密閉状の嵌座があり、ミキサーの駆動装置の矢柄を嵌めるために、嵌座の下に多角状の嵌合溝がある。
【０００９】
果肉をつぶすには、管状の外回りにカーブ状に突出する縦方向の爪片が複数枚配列している。
【００１０】
請求項２に記載の、請求項１の果汁ミキサーの入液管構造において、ミキサーは座部、防水キャップ、集汁皿、濾皿及び入液管からなり、座部に駆動装置と上向き延伸の矢柄があり、矢柄は防水キャップとともに集汁皿と濾皿を通して、入液管にジョイントし、集汁皿と濾皿は相互座部に畳み組あわせ、入液管の底に濾皿の中央穴に掛けるフックがある。
【００１１】
請求項３に記載の、請求項１または請求項２の果汁ミキサーの入液管構造において、入液管の嵌座の外回りに突出するスライスナイフが横に並んでいる。
【００１２】
請求項４に記載の、請求項1の果汁ミキサーの入液管構造にいて、ミキサーは座部、防水キャップ、集汁皿及び入液管からなり、座部に駆動装置と上向き延伸の矢柄があり、矢柄は防水キャップとジョイントし、集汁皿を通し入液管にジョイントし、集汁皿と濾皿は相互座部に畳み組あわせ、入液管の底は濾皿と一体化し、濾皿は集汁皿の中にある。
【００１３】
請求項５に記載の、請求項１の果汁ミキサーの入液管構造において、棘歯がカーブ状の形、断面が尖っている形をしている。
【考案の効果】
【００１４】
本考案が実施されたところ、次のような効果がある。
１．皮付果物の果汁絞りが行われているとき、その複数枚の果片がすぐに入液管に切られ、実柱が管内にしか動けない状態となる。従って、果物を押しつぶすとき、バランスを持つことができ、左や右へ傾いたりすることが起こらない。
２．果汁絞りの前に、果物を半分に切る必要がなく、入液管でジュースを直接に絞ることができ、操作が素早く、時間が節約できる。
３．ナイフやまな板がいらないので、洗浄作業も不要、洗浄中に起きる悩みはない。
４．ナイフを使用ぜずに、子供がナイフを使って、事故を起こす問題を防ぎ、安全性がアップする。
５．ジュースを絞り終わった後、果物自体が一つまとまった形をしており、収集にも便利、砂糖漬けなどの別の料理にもできる。
【考案を実施するための最良の形態】
【００１５】
以下は、図示の実施の形態によって詳しく説明する。
（第一の実施の形態）
【００１６】
図１は本考案の果汁ミキサーの立体分解図である。ミキサー１０は駆動装置１１と矢柄１２を持つ座部１、矢柄１２上の防水キャップ２、座部１の上の集汁皿３、集汁皿３の上に畳み組わせる濾皿４、及び防水キャップ２上に嵌めた上に濾皿４とジョイントする入液管５からなり、特徴から言えば、入液管５の天辺に開口状の切口５１があり、切口５１が上へ行くと尖って行く構造となっている。また環状の棘歯５２があり、鋭く切り下すことができ、それに切口５１の直径が大きい必要はなく、果物の実柱を導入して各果片を切るに使われる部分である。
【００１７】
前述の構造を組合後、その立体外形構造が図２と図３のようになる。図２は立体組合図、図３は入液管５と本体との分解図である。
【００１８】
前述の駆動装置１１に重量センサーユニットがあり、外部からの圧力を検出して、モーターを駆動させる機能を待ち、逆に重量が測定できない場合、モーターの動きを停止させる。これは従来の減速モーターと制御装置で、構造や技術面の説明はここまでにする。駆動装置１１が矢柄１２を回転させるとき、防止キャップ２と入液管５も同時に回転し、また防止キャップ２は集汁皿３の中央管を通し、入液管５とジョイントし、その上に濾皿４は集汁皿３の上に組み合せ、中央穴が中央管にぴったり合わさる。
【００１９】
図１と図４を参照すれば、図４は本考案の入液管の全体断面図である。この実施の形態において、入液管５はプラスチック製であり、天辺に開口状の切口５１があり、切口５１の周辺に環状の棘歯５２が配列されている。棘歯５２はカーブ状の形状をなし、断面が尖っている形をしており、また入液管５の外回りにカーブ状に突出する爪片５５が何枚か並び、縦方向の爪片５５が果肉の粒に対する摩擦力を増すことができ、それに入液管５の下に密閉状の嵌座５３があり、多角状の防水キヤプ２の天辺にジョイントするのに、嵌座５３の下に多角状の嵌合溝５４があり、嵌座５３の底の外回りに突出するスライスナイフ５６が横に並び、スライスナイフ５６は濾皿４の上に張り合わさり、果物の粕を取り落とすことができ、嵌座５３の下に縦方向に伸びるスプリングホック５７が数本あり、スプリングホック５７を利用し、濾皿４の中央穴にホックして、入液管５と濾皿４がジョイントでき、濾皿4と集汁皿3がジョイントした後、固定状態となり、入液管5だけが濾皿４の中で回すことができる。
【００２０】
上述の中に、切口５１は入液管５の中で直径が最も小さく、次は嵌座５３、爪片５５は直径が最も大きい。三者の直径の寸法について、切口５１は約１〜１．５ｃｍ（センチメートル）嵌座５３は２ｃｍ、縦方向の爪片５５は２．５ｃｍ以上である。
【００２１】
図５は本考案の果汁ミキサーの実施状態を示す断面図である。図示のように、果汁ミキサー１０を組合後、そのコーディネートが示されている。使用者がオレンジ、レモン、サンキスト・・・等の果物の臍の部分を直接に入液管５の天辺の方へ押し、入液管５の天辺の鋭い棘歯５２でそれらを刺し、刺された果物が入液管５にかけた重量を、重量センサーユニットが測定し、駆動装置１１を駆動させ、さらに矢柄１２と防水キャップ２を働かし、入液管５を回させ、また使用者が果物を押し続けると、入液管５が果物の内部へと入りこみ、すると、回転中の爪片５５が果肉へ圧迫し、汁が次次と下のほうへ流れ、汁がたくさん出て、出た汁が濾皿４に濾され、下の集汁皿３に収集され、果物の粕が濾皿４の上に残る。そこで、濾皿4の隙間が塞がるのを防ぐため、入液管５の下に突出するスライスナイフ５６が入液管５の回転に伴い、濾皿４の粕が取り除かれる。
【００２２】
図８Ａおよび図８Ｂに示されるように、入液管５が果物７へ深く入り込み、中央の実柱７３を切口５１へ入らせてしまい、中央の実柱７３は数枚の果片７４からなるものの、果肉の粒を含まず、水分が最も少ない部分であり、中央の実柱７３が入液管５に入ったまま、果汁絞りの動きや汁の量が影響されることがなく、また果汁絞りの後に、真ん中に円形切跡７５が残り、その切跡は入液管５に刺され、各果片７４が切断されたあとであり、形がまとまった果物を入液管５から取るとき、上のほうへ取り外せるし、それに中央実柱７３の上が果皮７１と一つになり、入液管５に残らず、中央実柱７３も同時に取り出せる。本考案は、果物を半分に切らなくても、果汁を直接に絞ることができ、絞りの後で残った果物をまとまった形で取り出せるから、捨てるときや、べつの何かに使うときや、操作する場合にも簡単で便利である。
【００２３】
（第二の実施の形態）
図６及び図７はそれぞれ本考案の果汁ミキサーの第二の実施の形態を示す立体分解図と組合図である。前述の第一実施例との相違点は、濾皿５８が入液管５の底に一体化するところである。本実施の形態の入液管５の下に第一実施の形態で用いられたスライドナイフ５６とスピリングホック５７が不要である。そこで、入液管５が回転している時、濾皿５８も同時に回転し、濾皿５８の回転を利用し、その止まらない揺れによって、果物の粕がその隙間に残らないようにすることができる。
【００２４】
以上は、図示のように好適な実施の形態を通して、本考案について詳しく説明してきた。当業者は本考案の範囲内において、種々の方法で変更、改変、或いは工夫することができるが、但し、いくら変更作業が行なわれたところで、本考案の思想の範囲内においての、種々の変更の実施例は全て本考案の範疇に属するものとする。
【図面の簡単な説明】
【００２５】
【図１】本考案の第一実施の形態の立体分解囲である。
【図２】本考案の第一実施の形態の立体組合図である。
【図３】本考案の第一実施の形態の入液管分解図である。
【図４】本考案の第一実施の形態の入液管全体断面図である。
【図５】本考案の第一実施の形態の実施図である。
【図６】本考案の第二実施の形態の立体分解図である。
【図７】本考案の第二実施の形態の立体組合図である。
【図８Ａ】本考案の実施に際して入液管が果物へ入り込む直前の状態を示す縦断面図である。
【図８Ｂ】本考案の実施に際して入液管が果物へ入り込んだ状態を示す横断面図である。
【図９】従来の皮付果物の果汁搾りの実施図である。
【図１０】従来の皮付果物の平面図である。
【図１１】図１０のＸ−Ｘ断面図である。
【符号の説明】
【００２６】
１  座部
２  防水キャップ
３  集汁皿
４  濾皿
５  入液管
６  ミキサー器
７  皮付果物
１０  ミキサー
１１  駆動装置
１２  矢柄
１０  ミキサー
５１  切口
５２  棘歯
５３  嵌座
５４  嵌合溝
５５  爪片
５６  スライスナイフ
５７  スプリングホック
５８  濾皿
６１  爪片
７１  果皮
７２  果肉
７３  実柱
７４  果片
７５  円形切跡
【図１】
0003107426.tif 000003
【図２】
0003107426.tif 000004
【図３】
0003107426.tif 000005
【図４】
0003107426.tif 000006
【図５】
0003107426.tif 000007
【図６】
0003107426.tif 000008
【図７】
0003107426.tif 000009
【図８Ａ】
0003107426.tif 000010
【図８Ｂ】
0003107426.tif 000011
【図９】
0003107426.tif 000012
【図１０】
0003107426.tif 000013
【図１１】
0003107426.tif 000014